(57)【要約】【課題】１つのボタンに割り当てられた全ての機能を、ボタンに触れることによりガイダンス表示する携帯機器、表示制御方法、プログラム及び記録媒体を提供する。【解決手段】携帯機器は、入力を受け付けるキートップ１４と、キーが触れられたことを検出するタッチ検出センサー１２と、情報を表示するディスプレイ１６と、を有する。検出センサー１２によりキーが触れられたことを検出した場合に、該キーに割り当てられた全ての機能のガイダンスをディスプレイ１６に表示し、キーが押下された場合にはそのキーに割り当てられた機能を実行する。【選択図】図１
2010026998.tif 000002
【特許請求の範囲】
【請求項１】
入力を受け付ける入力手段と、
前記入力手段が触れられたことを検出する検出手段と、
情報を表示する表示手段と、
前記検出手段により前記入力手段が触れられたことを検出した場合に、該入力手段に割り当てられた全ての機能のガイダンスを前記表示手段に表示するガイダンス表示手段と、
前記入力手段が押下されたことを検出する押下検出手段と、
前記押下検出手段により入力手段が押下されたことを検出した場合に、その入力手段に割り当てられた機能を実行する機能実行手段と、を有することを特徴とする携帯機器。
【請求項２】
前記ガイダンス表示手段は、前記押下検出手段により前記入力手段押下が検出された場合に、ガイダンス表示を非表示にすることを特徴とする請求項１記載の携帯機器。
【請求項３】
前記検出手段は、ダブルタップも検出することを特徴とする請求項１又は２に記載の携帯機器。
【請求項４】
前記ガイダンス表示手段は、前記入力手段の短押し、長押し及びダブルタップに割り当てられた機能を表示することを特徴とする請求項１から３の何れか１項に記載の携帯機器。
【請求項５】
前記検出手段は、複数の入力手段をまたいで触れられたことを検出し、
前記検出手段により検出された前記入力手段の触られた順序に基づいて、前記表示手段に表示された情報をスクロールすることを特徴とする請求項１から４の何れか１項に記載の携帯機器。
【請求項６】
入力を受け付ける入力手段が触れられたことを検出するステップと、
前記検出するステップにより触れられたことを検出した場合に、割り当てられた全ての機能のガイダンスを、情報を表示する表示手段に表示するステップと、
前記入力手段が押下されたことを検出するステップと、
前記押下を検出するステップにより押下されたことを検出した場合に、割り当てられた機能を実行するステップと、を有することを特徴とする表示制御方法。
【請求項７】
前記押下を検出するステップにより押下が検出された場合に、前記表示するステップにより表示されたガイダンスを非表示にするステップをさらに有することを特徴とする請求項６記載の表示制御方法。
【請求項８】
前記検出するステップは、ダブルタップも検出することを特徴とする請求項６又は７に記載の表示制御方法。
【請求項９】
前記表示するステップは、前記入力手段の短押し、長押し及びダブルタップに割り当てられた機能を表示することを特徴とする請求項６から８の何れか１項に記載の表示制御方法。
【請求項１０】
入力を受け付ける入力手段が触れられたことを検出する処理と、
前記検出する処理により触れられたことを検出した場合に、割り当てられた全ての機能のガイダンスを表示する処理と、
前記入力手段が押下されたことを検出する処理と、
前記押下を検出する処理により押下されたことを検出した場合に、割り当てられた機能を実行する処理と、をコンピュータに実行させることを特徴とするプログラム。
【請求項１１】
前記押下を検出する処理により押下されたことを検出した場合に、前記表示する処理により表示されたガイダンスを非表示にする処理をコンピュータに実行させることを特徴とする請求項１０記載のプログラム。
【請求項１２】
請求項１０又は１１に記載のプログラムを記録したコンピュータ読み取り可能な記録媒体。
【発明の詳細な説明】
【技術分野】
【０００１】
本発明は、アクティブにガイダンス表示をする携帯機器、表示制御方法、プログラム及び記録媒体に関する。
【背景技術】
【０００２】
携帯通信端末等のキーを具備した携帯機器は、各キーに機能が割り当てられていることが多い。一般的にはキートップ上に機能を説明するためのガイダンスが印刷されているが、１つ１つが小さく、さらに省略した表現となっているため、ユーザーが理解しがたいという問題があった。
【０００３】
上述した問題を解決するために、携帯機器の機能を一覧として携帯機器のディスプレイ上に表示する技術が開示されているが、表示された各機能と実際のキーとの対応がわかりにくいという問題があった。また、ディスプレイ上にメールなどのアプリケーションを表示している場合、全てのキーの機能のガイダンスを常にディスプレイ上に表示しておくことはできないので、ガイダンスを表示したとしても小さく、さらに省略した表現となるため、キー操作を行った場合に何が実行されるのかが分かりにくいという問題があった。
【０００４】
上述した問題を解決するために、ディスプレイ上に、キーに割り振られた文字などの情報を表示した状態で、実際にユーザーが触れたキーに対応する項目にカーソルを移動させる技術が開示されている（例えば、特許文献１）。また、デジタルカメラでは、十字キーにガイダンスが印刷されていることが多いが、デジタルカメラのホールド時に印刷されたガイダンスを自身の指などで隠してしまうことがある。この問題を解決するために、十字キーに触れた場合には、十字キーの画像とともに十字キーに割り当てられた機能をディスプレイ上に表示する技術が開示されている（例えば、特許文献２）。
【０００５】
また、上記技術は、キーに触れたことを検知する機能を有しているが、その機能を応用し、携帯電話において数字キーに触れた順番や速さによって画面をスクロールさせる技術が開示されている（例えば、特許文献３）。
【特許文献１】特開２００２−１４９３０８号公報
【特許文献２】特開２００７−２２１３７１号公報
【特許文献３】特許第４０５７４５６公報
【発明の開示】
【発明が解決しようとする課題】
【０００６】
しかし、近年携帯機器の機能は増えており、１つのキーに１つの機能を割り当てるだけでは足らず、限られたキーで多くの機能を実現させるために、１つのキーに複数の機能が割り当てられている。この１つのキーに割り当てられている複数の機能は、例えば、キーの長押しや短押し等によって区別される。一般的にはキートップ上に機能を説明するためのガイダンスが印刷されているが、短押しの機能のみが印刷してあることが多い。そのため、１つのキーに複数の機能が割り当てられている場合、キーの短押しや長押し等の操作を行った際に、何が実行されるのかがユーザーに分かりにくいという問題があった。また、機能が割り当てられていることをユーザーに伝えることも困難であるという問題もあった。
【０００７】
本発明はこのような実情を鑑みてなされたものであり、１つのボタンに割り当てられた全ての機能を、ボタンに触れることによりガイダンス表示する携帯機器、表示制御方法、プログラム及び記録媒体を提供することを目的とする。
【課題を解決するための手段】
【０００８】
本発明の携帯機器は、入力を受け付ける入力手段と、入力手段が触れられたことを検出する検出手段と、情報を表示する表示手段と、検出手段により入力手段が触れられたことを検出した場合に、該入力手段に割り当てられた全ての機能のガイダンスを表示手段に表示するガイダンス表示手段と、入力手段が押下されたことを検出する押下検出手段と、押下検出手段により入力手段が押下されたことを検出した場合に、その入力手段に割り当てられた機能を実行する機能実行手段と、を有することを特徴とする。
【０００９】
本発明の携帯機器は、ガイダンス表示手段は、押下検出手段により入力手段押下が検出された場合に、ガイダンス表示を非表示にすることを特徴とする。
【００１０】
本発明の携帯機器は、検出手段は、ダブルタップも検出し、ガイダンス表示手段は、入力手段の短押し、長押し及びダブルタップに割り当てられた機能を表示することを特徴とする。
【００１１】
本発明の表示制御方法は、入力を受け付ける入力手段が触れられたことを検出するステップと、検出するステップにより触れられたことを検出した場合に、割り当てられた全ての機能のガイダンスを、情報を表示する表示手段に表示するステップと、入力手段が押下されたことを検出するステップと、押下を検出するステップにより押下されたことを検出した場合に、割り当てられた機能を実行するステップと、を有することを特徴とする。
【００１２】
本発明のプログラムは、入力を受け付ける入力手段が触れられたことを検出する処理と、検出する処理により触れられたことを検出した場合に、割り当てられた全ての機能のガイダンスを表示する処理と、入力手段が押下されたことを検出する処理と、押下を検出する処理により押下されたことを検出した場合に、割り当てられた機能を実行する処理と、をコンピュータに実行させる。
【００１３】
本発明の記録媒体は、上記プログラムを記録したコンピュータ読み取り可能な記録媒体である。
【発明の効果】
【００１４】
本発明によれば、入力手段に触れた場合に、触れた入力手段のみのガイダンスを表示手段に表示するため、入力手段と表示手段上のガイダンスを明確に且つ容易に理解することが可能となる。さらに、１つの入力手段に複数の機能が割り当てられている場合にも、全ての機能をガイダンスとして表示するため、新たな機能を発見することや、その機能を容易に実行することが可能となる。
【発明を実施するための最良の形態】
【００１５】
以下に本発明の実施形態の例について、図面を用いて詳細に説明する。
【００１６】
図１は、本実施形態にかかる携帯機器の概略構成例を示す。以下、本実施形態では、携帯機器として、携帯電話機を例に挙げて詳細に説明する。
【００１７】
図１に示すように、本実施形態に係る携帯電話機は、基板１１、タッチ検出センサー１２、ドームスイッチ１３、キートップ１４、ＣＰＵ１５、ディスプレイ１６、を有する。基板１１は、タッチ検出センサー１２とドームスイッチ１３とが配置されている。タッチ検出センサー１２は、例えば、静電容量センサーや感圧センサー等のセンサーであり、ユーザーが各キーに触れたことを検出できるように配置されている。ドームスイッチ１３は、キートップ１４を押下されたことが検出できるように配置されている。キートップ１４は、ユーザーからの入力を受け付け、携帯電話機を操作するためのキーである。ＣＰＵ１５は、中央処理装置であり、各機能の制御を行う。ディスプレイ１６は、例えば液晶など、情報を表示する画面である。
【００１８】
（実施形態１）
図２は、本実施形態に係る携帯機器の一例である携帯電話機のメールキーに触れた場合のガイダンス表示の例を示す。図３は、本実施形態に係る携帯機器の一例である携帯電話機において、ガイダンスを表示する処理の流れの例を示す。本実施形態では、ガイダンスを表示する処理の例について、図２に示す図及び図３に示すフローチャートを用いて詳細に説明する。
【００１９】
まず、携帯電話機は、タッチ検出センサー１２からユーザーがキートップ１４に触れた信号受け取ったか否かを判断する（ステップＳ３０１）。また、ユーザーが一定時間キートップ１４に触れているか否かを検出するようにしてもよい。
【００２０】
ユーザーがキートップ１４に触れた信号を受け取らない場合又はユーザーが一定時間キートップ１４に触れていない場合（ステップＳ３０１／ＮＯ）は、再び上記ステップＳ３０１の動作を行う。一方、ユーザーがキートップ１４に触れた信号を受け取った場合又はユーザーが一定時間キートップ１４に触れている場合（ステップＳ３０１／ＹＥＳ）は、そのキーを押下した際に実行する全ての機能を示すガイダンスをディスプレイ１６に表示する（ステップＳ３０２）。上記ステップＳ３０２でディスプレイに表示されるガイダンス表示の例を図２に示す。図２では、ユーザーがメールキーに触れた場合の例を示しており、メールキーは、短押しするとメールを見る機能が実行され、長押しするとメールを受信する機能が実行されることが示されている。
【００２１】
（実施形態２）
図４は、本実施形態に係る携帯機器の一例である携帯電話機において、ガイダンスを非表示する処理の流れの例を示す。本実施形態では、ユーザーの指がキーから離れた場合にガイダンス表示を消す処理の例について、図４に示すフローチャートを用いて詳細に説明する。
【００２２】
まず、上記実施形態１で上述したようにユーザーがキートップ１４に触れていて、ディスプレイ１６にガイダンスを表示している状態において、キートップ１４から指が離れたか否かをタッチ検出センサー１２の信号より判断する（ステップＳ４０１）。ユーザーの指がキートップ１４から離れていないと判断された場合（ステップＳ４０１／ＮＯ）は、上記ステップＳ４０１の処理に戻る。一方、ユーザーの指がキートップ１４から離れたと判断された場合（ステップＳ４０１／ＹＥＳ）は、ディスプレイ１６上に表示されているガイダンス表示を消す（ステップＳ４０２）。
【００２３】
（実施形態３）
図５は、本実施形態に係る携帯機器の一例である携帯電話機器において、ガイダンスを非表示する処理の流れの例を示す。本実施形態では、ユーザーが機能を実行した場合にガイダンス表示を消す処理の例について、図５に示すフローチャートを用いて詳細に説明する。
【００２４】
まず、上記実施形態１で上述したようにユーザーがキートップ１４に触れていいて、ディスプレイ１６にガイダンスを表示している状態において、ユーザーによりキーが押下されたか、すなわち、ドームスイッチ１３が押されたか否かを判断する（ステップＳ５０１）。ユーザーがキーを押下していないと判断された場合（ステップＳ５０１／ＮＯ）は、上記ステップＳ５０１の処理に戻る。一方、ユーザーがキーを押下したと判断された場合（ステップＳ５０１／ＹＥＳ）は、ディスプレイ１６上に表示されているガイダンス表示を消す（ステップＳ５０２）。そして、押下されたキーに割り当てられた機能を実行する（ステップＳ５０３）。例えば、図２に示すように、ディスプレイ１６にガイダンスが表示された状態で、メールキーを短押した場合にはメールを見る画面に遷移する処理を実行し、メールキーのガイダンス表示を非表示にする。また、メールキーを長押しした場合にはメールを受信する処理を実行し、メールキーのガイダンスを非表示にする。
【００２５】
本実施形態により、ユーザーがキーに触れた場合に、触れたキーのみのガイダンスを表示するため、ユーザーはキーとディスプレイ１６上のガイダンスを明確に且つ容易に理解することが可能となる。さらに、１つのキーに複数の機能が割り当てられている場合にも、全ての機能をガイダンスとして表示するため、新たな機能を発見することや、その機能を容易に実行することが可能となる。
【００２６】
また、ユーザーがキーに触れた場合に、触れたキーのみのガイダンスを表示すればよいので、ガイダンスがディスプレイ１６を常時占有する必要がなく、各アプリケーションにディスプレイ１６上の領域を広く割りあてることが可能となる。
【００２７】
さらに、ユーザーがキーに触れた場合に、触れたキーのみのガイダンスを表示するため、ディスプレイ１６における該当キーのガイダンス領域を広く取ることが可能となり、実行される機能を詳しく説明することが可能となる。
【００２８】
また、本実施形態により、キーに割り当てられた機能を容易且つ十分にユーザーが理解することが可能となるので、キートップ１４上に細かいガイダンスを印刷することを省くことが可能となる。
【００２９】
尚、上述したように、ガイダンスはキートップ１４にタッチする又はキートップ１４に一定時間触れた場合にディスプレイ１６上に表示される。このようにガイダンスを表示する条件を２つ例として挙げて説明したのは、タッチしてすぐにガイダンスが表示されることによって不都合が生じることがあるからである。例えば、メールキーで実行される機能を理解していないユーザーにとっては、メールキーをタッチした場合にガイダンスを表示することの方が望ましい。しかし、メールキーで実行される機能を理解しているユーザーにとっては、メールキーをタッチしただけでガイダンスを毎回表示する必要はなく、反対に操作性を低下させてしまう恐れがある。すなわち、本実施形態では、上記したような携帯電話機の操作に慣れたユーザーと慣れていないユーザーの両方に対応し、ガイダンスを表示することが可能となる。
【００３０】
（実施形態４）
図６は、本実施形態に係る携帯機器の一例である携帯電話機のタッチ検出センサー１２により表示領域をスクロールさせる処理の例を示す図である。本実施形態では、数字キーの下に配置されたタッチ検出センサー１２を利用した表示領域のスクロール処理の例について図６に示す図を用いて詳細に説明する。
【００３１】
本実施形態に係る携帯電話機の各数字キーの下にはタッチ検出センサー１２が配置されている。図６に示すように、タッチ検出センサー１２は、上記実施形態１で説明したようにユーザーの指が数字キーをタッチしたこと又は一定時間触れたことを検知し、数字キーをなぞることにより表示領域をスクロールするという機能のガイダンスをディスプレイ１６に表示する。
【００３２】
ガイダンスがディスプレイ１６に表示されている状態で、ユーザーが数字キーをなぞると、ガイダンス表示が消え、ブラウザの画面をスクロールする。図６に示す例では、数字キーを縦になぞるとブラウザの画面を縦にスクロールし、数字キーを横になぞると横にスクロールする。
【００３３】
すなわち、本実施形態では各キートップ１４の下に配置されたタッチ検出センサー１２により、複数のキートップ１４をまたいで指が動いたことを検出することが可能である。
【００３４】
ブラウザやメール等のスクロールを頻繁に使用する機能では、スクロールを効率的に行う操作性が求められている。本実施形態では、複数のキートップ１４をまたいで指が動いたことを検出する手段を利用し、数字ボタンをなぞることにより画面をスクロールさせることが可能となるので、スクロールを効率的に且つ容易に行うことが可能となり、操作性を向上させることが可能となる。
【００３５】
（実施形態５）
本実施形態に係る携帯機器のキートップ１４の下には、ユーザーの指が触れたことを検出するタッチ検出センサー１２が配置されている。そのため、本実施形態に係る携帯機器では、キーの長押し及び短押しに加え、ダブルタップにも機能を割り当てることが可能となる。ダブルタップとは、短い間隔で２回キーにタッチすることである。例えば、ノートパソコンのマウスパッドの決定操作と同様である。
【００３６】
本実施形態により、キーの長押し及び短押しに加え、ダブルタップにも機能を割り当てることが可能となるので、より多くの機能を簡単に呼び出すことが可能となる。携帯機器の文字入力機能では、機能の数に対してキーの数が少ないという課題があるが、本実施形態により、この課題を解決することが可能となる。また、ダブルタップに対応すると、キーに割り当てられた機能の説明を表示する必要がさらに高まるため、本発明に係るガイダンス表示手段はさらに効果を発揮する。
【００３７】
尚、図２及び図６に示す携帯機器の数字キーには数字のみを印字したものを例として挙げて説明している。しかし、本発明の係る携帯機器はこれに限定されるものではなく、平仮名、ローマ字等やその他が印字されていてもよいことは言うまでもない。
【００３８】
尚、各図のフローチャートに示す処理を、ＣＰＵ１５が実行するためのプログラムは本発明によるプログラムを構成する。このプログラムを記録するコンピュータ読み取り可能な記録媒体としては、半導体記憶部や光学的及び／又は磁気的な記憶部等を用いることができる。このようなプログラム及び記録媒体を、前述した各実施形態とは異なる構成のシステム等で用い、そこのＣＰＵで上記プログラムを実行させることにより、本発明と実質的に同じ効果を得ることができる。
【００３９】
以上好適な実施の形態に基づき具体的に説明したが、本発明は上述した携帯機器、表示制御方法、プログラム及び記録媒体に限定されるものではなく、その要旨を逸脱しない範囲で種々変更可能であるということは言うまでもない。
【図面の簡単な説明】
【００４０】
【図１】本実施形態に係る携帯機器の概略構成例を示す図である。
【図２】本実施形態に係る携帯機器のメールキーに触れた場合のガイダンス表示の例を示す図である。
【図３】本実施形態に係る携帯機器において、ガイダンスを表示する処理の流れの例を示すフローチャートである。
【図４】本実施形態に係る携帯機器において、ガイダンスを非表示する処理の流れの例を示すフローチャートである。
【図５】本実施形態に係る携帯機器において、ガイダンスを非表示する処理の流れの例を示すフローチャートである。
【図６】本実施形態に係る携帯機器の数字キーに触れた場合のガイダンス表示及び機能実行の例を示す図である。
【符号の説明】
【００４１】
１１    基板
１２    検出センサー
１３    ドームスイッチ
１４    キートップ
１５    ＣＰＵ
１６    ディスプレイ
【図１】
2010026998.tif 000003
【図２】
2010026998.tif 000004
【図３】
2010026998.tif 000005
【図４】
2010026998.tif 000006
【図５】
2010026998.tif 000007
【図６】
2010026998.tif 000008